(57)【要約】  デジタルテレビ信号処理装置は、予め、ディスプレイ部の動画解像度を記憶し、記憶した動画解像度に基づいて字幕のスクロール速度を制御することにより、ディスプレイ部における字幕の残像を低減させる。
2009128197.tif 000002
【特許請求の範囲】
【請求項１】
入力映像信号、字幕データを含むデジタル信号を入力しディスプレイ部に表示するデジタルテレビ信号処理装置であって、
前記ディスプレイ部の動画解像度を記憶する動画解像度メモリ部と、
前記ディスプレイ部の前記動画解像度に応じて字幕のスクロール速度変換識別子を出力するルックアップテーブル変換部と、
前記字幕データを記憶する字幕データメモリ部と、
前記字幕データメモリ部で記憶した前記字幕データに含まれる字幕のスクロール速度を決定するスクロール速度識別子を、前記ルックアップテーブル変換部から出力される前記スクロール速度変換識別子に基づいて変換する字幕スクロール変換部と、
前記字幕スクロール変換部が出力する前記変換されたスクロール速度識別子に基づいて、前記字幕データから字幕ＯＳＤ映像信号を出力する字幕ＯＳＤ生成部と、
前記入力映像信号と前記字幕ＯＳＤ映像信号とを入力して表示映像信号を合成する字幕ＯＳＤ合成部と、を備え、
前記字幕スクロール変換部は、前記ディスプレイ部の動画解像度に応じて、前記字幕の前記スクロール速度を制御するデジタルテレビ信号処理装置。
【請求項２】
前記字幕スクロール変換部は、前記ディスプレイ部の動画解像度に応じて、前記字幕の前記スクロール速度を一定値以下に制限するように制御する請求項１にデジタルテレビ信号処理装置。
【請求項３】
前記字幕スクロール変換部は、前記字幕データメモリ部に記憶された前記字幕データの前記スクロール速度識別子の値が、前記ルックアップテーブル変換部の出力する前記スクロール速度変換識別子の値を超える場合、
前記字幕データメモリ部に記憶された前記スクロール速度識別子の値を前記ルックアップテーブル変換部の出力する前記スクロール速度変換識別子の値に変換する請求項１に記載のデジタルテレビ信号処理装置。
【請求項４】
前記字幕ＯＳＤ合成部は、前記字幕と前記入力映像信号に含まれる別コンテンツとの重なりの有無を検出する字幕重なり検出部をさらに備えるとともに、
前記字幕ＯＳＤ生成部は、前記字幕の文字間隔を変換する文字間隔変換部をさらに備え、
前記字幕重なり検出部が、前記字幕と前記入力映像信号に含まれる別コンテンツとの重なりを検出した場合、
前記文字間隔変換部は、前記字幕の文字間隔をより小さくして変換する請求項１に記載のデジタルテレビ信号処理装置。
【請求項５】
前記字幕ＯＳＤ合成部は、前記字幕と前記入力映像信号に含まれる別コンテンツとの重なりの有無を検出する字幕重なり検出部をさらに備えるとともに、
前記字幕ＯＳＤ生成部は、前記字幕の行数を変換する字幕行数変換部をさらに備え、
前記字幕重なり検出部が、前記字幕と前記入力映像信号に含まれる別コンテンツとの重なりを検出した場合、
前記字幕行数変換部は、前記字幕の行数を２行以上に亘って表示するように変換する請求項１に記載のデジタルテレビ信号処理装置。
【請求項６】
前記字幕ＯＳＤ合成部は、前記字幕と前記入力映像信号に含まれる別コンテンツとの重なりの有無を検出する字幕重なり検出部をさらに備えるとともに、
前記字幕ＯＳＤ生成部は、前記字幕のフォントのサイズを変更する字幕フォント変更部をさらに備え、
前記字幕重なり検出部が、前記字幕と前記入力映像信号に含まれる別コンテンツとの重なりを検出した場合、
前記字幕フォント変更部は、前記字幕の前記フォントのサイズをより小さくするように変更する請求項１に記載のデジタルテレビ信号処理装置。
【請求項７】
前記字幕スクロール変換部は、前記字幕データに含まれるスクロール速度の変更許可フラグを参照し、前記字幕のスクロール速度の変更可否を判定する変更許可フラグ判定部をさらに備え、
前記字幕スクロール変換部は、前記変更許可フラグ判定部の前記変更可否の判定に応じて、
前記スクロール速度の前記変更許可フラグが、
変更可の場合、前記スクロール速度識別子の変換処理を行い、
変更不可の場合、前記スクロール速度識別子の変換処理を停止する
請求項１に記載のデジタルテレビ信号処理装置。
【請求項８】
入力映像信号、字幕データを含むデジタル信号を入力しディスプレイ部に表示するデジタルテレビ信号処理装置において、
ディスプレイ部の動画解像度を記憶し、
前記動画解像度に応じて字幕のスクロール速度変換識別子を出力し、
前記字幕データを記憶し、
前記記憶した前記字幕データに含まれる字幕のスクロール速度を決定するスクロール速度識別子を、前記スクロール速度変換識別子に基づいて変換し、
前記変換されたスクロール速度識別子に基づいて、前記字幕データから字幕ＯＳＤ映像信号を出力し、
前記入力映像信号と前記字幕ＯＳＤ映像信号とを入力して表示映像信号を合成し、
前記ディスプレイ部の前記動画解像度に応じて前記字幕のスクロール速度を制御して前記字幕を表示する字幕表示方法。
【請求項９】
前記ディスプレイ部の前記動画解像度に応じて前記字幕のスクロール速度を一定値以下に制限するように制御して前記字幕を表示する請求項８に記載の字幕表示方法。
【請求項１０】
前記記憶された前記字幕データの前記スクロール速度識別子の値が、前記スクロール速度変換識別子の値を超える場合、
前記スクロール速度識別子の値を前記スクロール速度変換識別子の値に変換する請求項８に記載の字幕表示方法。
【請求項１１】
前記字幕と前記入力映像信号に含まれる別コンテンツとの重なりの有無を検出し、
前記字幕と前記入力映像信号に含まれる別コンテンツとの重なりを検出した場合、
前記字幕の文字間隔をより小さくして変換する請求項８に記載の字幕表示方法。
【請求項１２】
前記字幕と前記入力映像信号に含まれる別コンテンツとの重なりの有無を検出し、
前記字幕と前記入力映像信号に含まれる別コンテンツとの重なりを検出した場合、
前記字幕行数変換部は、前記字幕の行数を２行以上に亘って表示するように変換する請求項８に記載の字幕表示方法。
【請求項１３】
前記字幕と前記入力映像信号に含まれる別コンテンツとの重なりの有無を検出し、
前記字幕と前記入力映像信号に含まれる別コンテンツとの重なりを検出した場合、
前記字幕の前記フォントのサイズをより小さくするように変更する請求項８に記載の字幕表示方法。
【請求項１４】
前記字幕データに含まれるスクロール速度の変更許可フラグを参照し、
前記字幕のスクロール速度の変更可否を判定し、
前記変更可否の判定に応じて、
前記スクロール速度の前記変更許可フラグが、
変更可の場合、前記スクロール速度識別子の変換処理を行い、
変更不可の場合、前記スクロール速度識別子の変換処理を停止する、
請求項８に記載の字幕表示方法。
【発明の詳細な説明】
【技術分野】
【０００１】
本発明は、デジタルテレビ信号処理装置に係り、特に字幕の表示速度の制御に関する。
【背景技術】
【０００２】
現在、世界的にテレビ放送のデジタル化が急速に進展しつつある。また、表示装置に関しても、従来のＣＲＴ（Ｃａｔｈｏｄｅ  Ｒａｙ  Ｔｕｂｅ）から、ＰＤＰ（Ｐｌａｓｍａ  Ｄｉｓｐｌａｙ  Ｐａｎｅｌ）や、ＬＣＤ（Ｌｉｑｕｉｄ  Ｃｒｙｓｔａｌ  Ｄｉｓｐｌａｙ）といった薄型の表示装置に置換わってきている。このような新たな表示装置において、ＬＣＤのような動画解像度の低い表示装置は、動きの早い映像を写すと残像が発生するという課題があった。特に、ＬＣＤは、字幕を表示する際にスクロール速度が速いと、残像が目だって発生するという課題があった。【０００３】
従来、このような課題を解決するために、表示装置に対して、字幕を表示する際の残像を低減する方法が提案されている。例えば、特許文献１には、高齢者向けに文字スクロール速度を遅くして表示して、可読性を向上させる旨の発明が開示されている。以下、図面を用いて、この従来技術について説明する。【０００４】
図１５は、従来のデジタルテレビ信号処理装置である。従来のデジタルテレビ信号処理装置は、以下の構成を備える。【０００５】
映像エンコーダ１３０１は、映像信号を入力し、入力した映像信号をＭＰＥＧ信号にエンコードする。第１音声エンコーダ１３０２は、通常の第１音声信号を入力し、入力した音声信号をＭＰＥＧ信号にエンコードする。第２音声エンコーダ１３０３は、第１音声エンコーダ１３０２に入力される第１音声信号を速度変換した第２音声信号を入力する。そして、第２音声エンコーダ１３０３は、入力した速度変換した音声信号をＭＰＥＧ信号にエンコードする。第１字幕エンコーダ１３０４は、第１音声エンコーダ１３０２の音声出力と同期した字幕データを作成する。第２字幕エンコーダ１３０５は、第２音声エンコーダ１３０３の音声出力と同期した字幕データを作成する。【０００６】
多重化装置１３０６は、上記したそれぞれのエンコーダからの出力を多重化する。そして、多重化装置１３０６は、これらの出力を多重化して信号を、トランスポートストリームとして出力する。変調部１３０７は、放送方式として規定される、例えばＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）などの変調方式で変調する。電波送出部１３０８は、変調部１３０７からの出力を周波数変換し、増幅した信号を送出アンテナに向けて出力する。出力端子１３０９は、電波送出部１３０８の送出アンテナへの出力端子である。【０００７】
以上の構成を取ることにより、第１字幕エンコーダ１３０４により、通常の第１音声信号に対応した字幕データが作成可能になる。また、第２字幕エンコーダ１３０５により、音声を速度変換された第２音声信号に対応した字幕データが作成できる。【０００８】
第２字幕エンコーダ１３０５から出力される字幕のスクロール速度は、第１字幕エンコーダ１３０４から出力される字幕のスクロール速度よりも遅く設定することができる。すなわち、以上で説明した従来技術では、予め放送波に複数の字幕を重畳し、その中に、表示速度の遅い字幕を重畳している（特許文献１参照）。【０００９】
また、映像表示されるテロップから文字認識を行い、表示速度を変換して表示する技術も開示されている（特許文献２参照）。【００１０】
しかしながら、特許文献１、特許文献２に記載の発明によれば、複数のスクロール速度で字幕を表示することはできるものの、表示装置の動画解像度に応じた最適なスクロール速度を提供できるものではないという課題があった。
【特許文献１】特開２００５−５７６３８号公報
【特許文献２】特開２０００−６９３９０号公報
【発明の開示】
【００１１】
本発明のデジタルテレビ信号処理装置は、入力映像信号、字幕データを含むデジタル信号を入力しディスプレイ部に表示するデジタルテレビ信号処理装置であって、動画解像度メモリ部と、ルックアップテーブル変換部と、字幕データメモリ部と、字幕スクロール変換部と、字幕ＯＳＤ（Ｏｎ  Ｓｃｒｅｅｎ  Ｄｉｓｐｌａｙ）生成部と、字幕ＯＳＤ合成部とを備える。
【００１２】
動画解像度メモリ部は、ディスプレイ部の動画解像度を記憶する。ルックアップテーブル変換部は、ディスプレイ部の動画解像度に応じて字幕のスクロール速度変換識別子を出力する。字幕データメモリ部は、字幕データを記憶する。字幕スクロール変換部は、字幕データメモリ部で記憶した字幕データに含まれる字幕のスクロール速度を決定するスクロール速度識別子を、ルックアップテーブル変換部から出力されるスクロール速度変換識別子に基づいて変換する。字幕ＯＳＤ生成部は、字幕スクロール変換部が出力する変換されたスクロール速度識別子に基づいて、字幕データから字幕ＯＳＤ映像信号を出力する。字幕ＯＳＤ合成部は、入力映像信号と字幕ＯＳＤ映像信号とを入力して合成する。そして、字幕スクロール変換部は、ディスプレイ部の動画解像度に応じて字幕のスクロール速度を制御する。
【００１３】
また、本発明のデジタルテレビ信号処理装置においては、字幕スクロール変換部は、ディスプレイ部の動画解像度に応じて、字幕のスクロール速度を一定値以下に制限するように制御してもよい。
【００１４】
また、本発明のデジタルテレビ信号処理装置においては、字幕スクロール変換部は、字幕データメモリ部に記憶された字幕データのスクロール速度識別子の値が、ルックアップテーブル変換部の出力するスクロール速度変換識別子の値を超える場合、字幕データメモリ部に記憶されたスクロール速度識別子の値をルックアップテーブル変換部の出力するスクロール速度変換識別子の値に変換してもよい。
【００１５】
このような構成により、デジタルテレビ信号処理装置のディスプレイ表示デバイスの動画解像度毎に字幕のスクロール速度を一定値以下に制限をすることができる。その結果、残像がなくなる、もしくは一定値以下に残像を抑制できる。
【００１６】
また、本発明のデジタルテレビ信号処理装置においては、字幕ＯＳＤ合成部は、字幕と入力映像信号に含まれる別コンテンツとの重なりの有無を検出する字幕重なり検出部をさらに備えてもよい。また、字幕ＯＳＤ生成部は、字幕の文字間隔を変換する文字間隔変換部をさらに備えている。字幕重なり検出部が、字幕と入力映像信号に含まれる別コンテンツとの重なりを検出した場合、文字間隔変換部は、字幕の文字間隔をより小さくして変換してもよい。
【００１７】
また、本発明のデジタルテレビ信号処理装置においては、字幕ＯＳＤ合成部は、字幕と入力映像信号に含まれる別コンテンツとの重なりの有無を検出する字幕重なり検出部をさらに備えてもよい。また、字幕ＯＳＤ生成部は、字幕の行数を変換する字幕行数変換部をさらに備えている。字幕重なり検出部が、字幕と入力映像信号に含まれる別コンテンツとの重なりを検出した場合、字幕行数変換部は、字幕の行数を２行以上に亘って表示するように変換してもよい。
【００１８】
また、本発明のデジタルテレビ信号処理装置においては、字幕ＯＳＤ合成部は、字幕と入力映像信号に含まれる別コンテンツとの重なりの有無を検出する字幕重なり検出部をさらに備えてもよい。また、字幕ＯＳＤ生成部は、字幕のフォントのサイズを変更する字幕フォント変更部をさらに備えている。字幕重なり検出部が、字幕と入力映像信号に含まれる別コンテンツとの重なりを検出した場合、字幕フォント変更部は、字幕のフォントのサイズをより小さくするように変更してもよい。
【００１９】
さらに、本発明のデジタルテレビ信号処理装置においては、字幕スクロール変換部は、字幕データに含まれるスクロール速度の変更許可フラグを参照し、字幕のスクロール速度の変更可否を判定する変更許可フラグ判定部をさらに備えている。字幕スクロール変換部は、変更許可フラグ判定部の変更可否の判定に応じて、スクロール速度の変更許可フラグが、変更可の場合、スクロール速度識別子の変換処理を行う。また、スクロール速度の変更許可フラグが、変更不可の場合、スクロール速度識別子の変換処理を停止してもよい。
【００２０】
また、本発明の字幕表示方法は、入力映像信号、字幕データを含むデジタル信号を入力しディスプレイ部に表示するデジタルテレビ信号処理装置において、ディスプレイ部の動画解像度を記憶し、動画解像度に応じて字幕のスクロール速度変換識別子を出力する。そして、字幕データを記憶し、記憶した字幕データに含まれる字幕のスクロール速度を決定するスクロール速度識別子を、スクロール速度変換識別子に基づいて変換する。そして、変換されたスクロール速度識別子に基づいて、字幕データから字幕ＯＳＤ映像信号を出力する。そして、入力映像信号と字幕ＯＳＤ映像信号とを入力して表示映像信号を合成し、ディスプレイ部の動画解像度に応じて字幕のスクロール速度を制御して字幕を表示する。
【図面の簡単な説明】
【００２１】
【図１】図１は、本発明の実施の形態１に係るデジタルテレビ信号処理装置の構成図である。
【図２】図２は、字幕のスクロール速度を規定する識別子のデータ構成の１例を示す構成図である。
【図３】図３は、実施の形態１に係るデジタルテレビ信号処理装置におけるルックアップテーブル変換部の入出力特性図である。
【図４】図４は、実施の形態１に係るデジタルテレビ信号処理装置における字幕スクロール変換部の動作の１例を示したフローチャートである。
【図５】図５は、実施の形態１に係るデジタルテレビ信号処理装置における所定のスクロール速度変換識別子に対応した表示時のスクロール速度識別子と入力された字幕データから検出されたスクロール速度識別子の関係を示す図である。
【図６】図６は、本発明の実施の形態２に係るデジタルテレビ信号処理装置の構成図である。
【図７】図７は、字幕の文字間隔パラメータを含む拡張制御信号のデータ構成の１例を示す構成図である。
【図８】図８は、本発明の実施の形態２に係るデジタルテレビ信号処理装置の動作の１例を示したフローチャートである。
【図９】図９は、本発明の実施の形態２に係る他の例におけるデジタルテレビ信号処理装置の構成図である。
【図１０】図１０は、本発明の実施の形態２に係る他の例におけるデジタルテレビ信号処理装置の動作の１例を示したフローチャートである。
【図１１】図１１は、本発明の実施の形態２に係るさらに他の例におけるデジタルテレビ信号処理装置の構成図である。
【図１２】図１２は、本発明の実施の形態２に係るさらに他の例におけるデジタルテレビ信号処理装置の動作の１例を示したフローチャートである。
【図１３】図１３は、本発明の実施の形態３に係るデジタルテレビ信号処理装置の構成図である。
【図１４】図１４は、本発明の実施の形態３に係るデジタルテレビ信号処理装置における字幕スクロール変換部の動作の１例を示したフローチャートである。
【図１５】図１５は、従来の字幕データ送出装置の構成図である。
【符号の説明】
【００２２】
２１，２３，２５，２７，２９    デジタルテレビ信号処理装置
１０３    字幕ＯＳＤ合成部
１０４    ディスプレイ部
１０５    字幕データメモリ部
１０６    字幕スクロール変換部
１０７    字幕ＯＳＤ生成部
１０８    動画解像度メモリ部
１０９    ルックアップテーブル変換部
１１０    リモコン
１２２    入力映像信号
１２４，１２５，１２６    字幕データ
１２８    字幕ＯＳＤ映像信号
１３０    表示映像信号
１３２    字幕重なり検出信号
５０１    白丸
５０２    矢印
５０３    黒丸
７０１    文字間隔変換部
７０３    字幕重なり検出部
７０５    字幕行数変換部
７０７    字幕フォント変更部
９０１    変更許可フラグ判定部
【発明を実施するための最良の形態】
【００２３】
以下、本発明の実施の形態について、図面を用いて説明する。【００２４】
（実施の形態１）
本発明の一実施の形態に係るデジタルテレビ信号処理装置について説明する。図１は、本実施の形態に係るデジタルテレビ信号処理装置２１の構成図である。図１に示すように、デジタルテレビ信号処理装置２１は、字幕ＯＳＤ合成部１０３と、ディスプレイ部１０４と、字幕データメモリ部１０５と、字幕スクロール変換部１０６と、字幕ＯＳＤ生成部１０７と、動画解像度メモリ部１０８と、ルックアップテーブル変換部１０９と、リモコン１１０とを備えている。デジタルテレビ信号処理装置２１は、入力映像信号１２２、字幕データ１２４を含むデジタル信号を入力し、ディスプレイ部１０４に表示する。以下、このデジタルテレビ信号処理装置２１の構成について詳細に説明する。【００２５】
字幕ＯＳＤ合成部１０３は、入力映像信号１２２を入力する。この入力映像信号１２２は、例えば、ＭＰＥＧトランスポートストリーム（以下、「ＭＰＥＧ−ＴＳ」と略記する）、またはＭＰＥＧプログラムストリーム（以下、「ＭＰＥＧ−ＰＳ」と略記する）を、ＡＶデコード部（図示せず）により、ＡＶデコード処理されている。字幕ＯＳＤ合成部１０３は、上記したＡＶデコード処理された入力映像信号１２２と、字幕ＯＳＤ生成部１０７が出力する字幕ＯＳＤ映像信号１２８とを入力して合成する。ディスプレイ部１０４は、その合成された表示映像信号１３０を表示する。【００２６】
字幕データメモリ部１０５は、字幕データ１２４を入力する。この字幕データ１２４は、デマルチプレクサ部（図示せず）により、例えば、ＭＰＥＧ−ＴＳ、またはＭＰＥＧ−ＰＳから抜き出される。字幕データメモリ部１０５は、入力された字幕データ１２４を記憶する。そして、字幕データメモリ部１０５は、その記憶した字幕データ１２５を字幕スクロール変換部１０６に出力する。【００２７】
動画解像度メモリ部１０８は、ディスプレイ部１０４の動画解像度を記憶する。そして、この動画解像度をルックアップテーブル変換部１０９に出力する。ルックアップテーブル変換部１０９は、動画解像度メモリ部１０８で記憶した動画解像度に応じて、字幕のスクロール速度変換識別子を出力する。【００２８】
字幕データメモリ部１０５で記憶した字幕データ１２５に含まれる字幕のスクロール速度を決定するスクロール速度識別子を、字幕スクロール変換部１０６は、ルックアップテーブル変換部１０９の出力するスクロール速度変換識別子に基づいて、変換する。そして、字幕スクロール変換部１０６は、変換されたスクロール速度識別子を含む字幕データ１２６を、字幕ＯＳＤ生成部１０７に出力する。なお、字幕スクロール変換部１０６の詳細な動作については、後述する。【００２９】
字幕ＯＳＤ生成部１０７は、字幕スクロール変換部１０６が出力する変換されたスクロール速度識別子に基づいて、字幕データ１２６から字幕ＯＳＤ映像信号１２８を生成し、字幕ＯＳＤ合成部１０３に出力する。【００３０】
以上のように構成されたデジタルテレビ信号処理装置２１について、次に、その動作の詳細を説明する。【００３１】
まず、字幕ＯＳＤ合成部１０３に入力される入力映像信号１２２は、例えば、ＭＰＥＧ−ＴＳ、またはＭＰＥＧ−ＰＳにおけるＰＥＳ（Ｐａｃｋｅｔｉｚｅｄ  Ｅｌｅｍｅｎｔａｒｙ  Ｓｔｒｅａｍ）に含まれている。字幕ＯＳＤ合成部１０３は、入力映像信号１２２と、字幕ＯＳＤ生成部１０７が出力する字幕ＯＳＤ映像信号１２８とを合成する。そして、ディスプレイ部１０４は、その合成された表示映像信号１３０を表示する。【００３２】
次に、字幕処理の動作を説明する。まず、字幕データ１２４のスクロール速度を検出する方法について説明する。字幕データメモリ部１０５に入力される字幕データ１２４は、例えば、ＭＰＥＧ−ＴＳ、またはＭＰＥＧ−ＰＳにおけるＰＥＳに含まれている。そして、その字幕データ１２４のスクロール速度は、字幕データ１２４に付随するスクロール速度識別子により決定される。【００３３】
図２は、字幕のスクロール速度を規定する識別子のデータ構成の１例を示す構成図である。図２には、字幕データ１２４のスクロール速度識別子の１例を示している。すなわち、符号シーケンスは、例えば、「ＣＳＩ  Ｐ１  Ｉ１  Ｐ２ｉ（ｉ＝０、・・・、９）  Ｉ２  Ｆ」と指定される。ここで、パラメータＣＳＩには、字幕データ１２４のスクロール速度の指定であることを示す値が割り当てられる。パラメータＰ１は、字幕データ１２４における文字のスクロールモードを指定する。スクロールモードでは、例えば、スクロールなしの固定表示や、ロールアウトなしなどを指定する。パラメータＰ２ｉ（ｉ＝０、・・・、９）は、字幕データ１２４における文字のスクロール速度を指定する。ここで、ｉの値が、大きいほど文字のスクロール速度は速くなるように規定されている。なお、パラメータＩ１とパラメータＩ２とは、符号シーケンスにおける中間文字であり、パラメータＦは符号シーケンスの区切りを表す終端文字である。【００３４】
次に、ルックアップテーブル変換部１０９の動作を説明する。図３は、実施の形態１に係るデジタルテレビ信号処理装置２１におけるルックアップテーブル変換部１０９の入出力特性図である。既に述べたように、動画解像度の低いディスプレイ部１０４に対して、スクロール速度が一定値以上大きくなると残像発生の原因になる。そこで、動画解像度に応じたスクロール速度の設定が重要となる。【００３５】
図３の横軸は、動画解像度メモリ部１０８に記憶されたディスプレイ部１０４の動画解像度であって、ルックアップテーブル変換部１０９への入力データを示している。また、縦軸は、ルックアップテーブル変換部１０９の出力データである。すなわち、この出力データは、動画解像度毎に残像が発生しない、もしくは残像が一定値以下になるスクロール速度識別子である。本実施の形態では、このスクロール速度識別子を、スクロール速度変換識別子と称して、入力された字幕データ１２４に含まれるスクロール速度識別子と区別する。【００３６】
このスクロール速度変換識別子の値を求めるためには、順次、異なる動画解像度に対して、スクロール速度識別子の値を変更して、ディスプレイ部１０４の残像を測定する。そして、ディスプレイ部１０４において、予め、動画解像度毎に残像が発生しない、もしくは残像が一定値以下になるスクロール速度識別子の値を測定している。このようにして、ルックアップテーブル変換部１０９の入出力変換特性であるルックアップテーブルを作成し、図３に示している。【００３７】
図３に示すように、例えば、ディスプレイ部１０４の動画解像度が、８００本から９００本では、スクロール速度識別子を８以下とすれば、動画解像度毎に残像が発生しない、もしくは残像が一定値以下になることを示している。また、ディスプレイ部１０４の動画解像度が、３００本から４００本では、残像が発生しない、もしくは残像が一定値以下にするために、スクロール速度識別子を３以下とするべきことが分かる。すなわち、ディスプレイ部１０４の動画解像度が高いほど、スクロール速度識別子の値を大きくすることができる。したがって、動画解像度が高いほど、スクロール速度を早くできる。【００３８】
このようにして、ルックアップテーブル変換部１０９は、ディスプレイ部１０４の動画解像度に応じて、動画解像度毎に残像が発生しない、もしくは残像が一定値以下になるスクロール速度識別子であるスクロール速度変換識別子を字幕スクロール変換部１０６に出力する。【００３９】
図４は、実施の形態１に係るデジタルテレビ信号処理装置２１の動作の１例を示したフローチャートである。ここで、字幕スクロール変換部１０６の動作の詳細な説明を行う。【００４０】
まず、字幕データメモリ部１０５は、字幕データ１２４を入力し、記憶する、そして記憶した字幕データ１２４を字幕スクロール変換部１０６に出力する（ステップＳ４０１）。【００４１】
ルックアップテーブル変換部１０９は、動画解像度メモリ部１０８に記憶されたディスプレイ部１０４の動画解像度に応じて、動画解像度毎に残像が発生しない、もしくは残像が一定値以下になるスクロール速度変換識別子を出力する。そして、字幕スクロール変換部１０６は、ルックアップテーブル変換部１０９の出力するスクロール速度変換識別子を入力する（ステップＳ４０２）。【００４２】
次に、字幕スクロール変換部１０６は、スクロール速度の判定を行う。すなわち、字幕データメモリ部１０５に記憶されたスクロール速度識別子の値が、ルックアップテーブル変換部１０９の出力するスクロール速度変換識別子の値を超えるかを判定する（ステップＳ４０３）。判定が偽（Ｎｏ）の場合、処理を終了する。一方、判定が真（Ｙｅｓ）の場合、後述するステップＳ４０４の処理を行う。【００４３】
ステップＳ４０４において、字幕スクロール変換部１０６は、字幕データメモリ部１０５に記憶されたスクロール速度識別子の値を、ルックアップテーブル変換部１０９から入力したスクロール速度変換識別子の値に変換する。この場合、字幕のスクロール速度は、より遅く変換される。したがって、字幕のスクロール速度は、ディスプレイ部１０４の動画解像度に応じて、より遅く変換される場合もある。【００４４】
上記したように、本実施の形態に係るデジタルテレビ信号処理装置２１おいては、予め動画解像度メモリ部１０８がディスプレイ部１０４の動画解像度を記憶している。そして、ルックアップテーブル変換部１０９は、動画解像度メモリ部１０８に記憶された動画解像度を入力する。そして、ルックアップテーブル変換部１０９は、図３に示したルックアップテーブルに基づいて、スクロール速度変換識別子を出力する。【００４５】
次に、字幕スクロール変換部１０６は、字幕データメモリ部１０５に記憶された字幕データ１２４のスクロール速度識別子の値が、ルックアップテーブル変換部１０９の出力するスクロール速度変換識別子の値を超える場合、字幕データメモリ部１０５に記憶されたスクロール速度識別子の値をルックアップテーブル変換部１０９の出力するスクロール速度変換識別子の値に変換する。すなわち、本実施の形態に係るデジタルテレビ信号処理装置２１おける字幕スクロール変換部１０６は、ディスプレイ部１０４の動画解像度に応じて字幕のスクロール速度を制御する。【００４６】
以下では、本実施の形態におけるデジタルテレビ信号処理装置２１のさらに具体的な動作の１例を説明する。図５は、本実施の形態に係るデジタルテレビ信号処理装置２１における所定のスクロール速度変換識別子に対応した表示時のスクロール速度識別子と検出されたスクロール速度識別子の関係を示す図である。図５において、横軸は、デジタルテレビ信号処理装置２１に入力された字幕データ１２４から検出されたスクロール速度識別子の値である。また、縦軸は、ディスプレイ部１０４の表示に用いられる表示時のスクロール速度識別子の値を示している。【００４７】
図５に示すように、字幕スクロール変換部１０６は、ディスプレイ部１０４の表示に用いられる表示時のスクロール速度識別子の値を、最大値「６」が上限となる処理を行う。この例では、ルックアップテーブル変換部１０９が出力したスクロール速度変換識別子の値が、所定値として「６」の場合を想定している。すなわち、スクロール速度識別子が６以下では、ディスプレイ部１０４において動画解像度毎に残像が発生しない、もしくは残像が一定値以下になることを想定している。【００４８】
デジタルテレビ信号処理装置２１において、入力された字幕データ１２４から検出されたスクロール速度識別子は、０から９までの値となる可能性がある。しかしながら、図５において、白丸５０１で示したように検出されたスクロール速度識別子が、７から９までの場合、このままの値で、表示時のスクロール速度識別子として、字幕ＯＳＤ生成部１０７に入力することは好ましくない。なぜなら、ディスプレイ部１０４において、一定値以上の残像が発生する可能性が生じるからである。【００４９】
そこで、図５に示したような変換特性に基づいて、字幕スクロール変換部１０６は、スクロール速度変換識別子に基づいてスクロール速度識別子の変換処理を行なう。すなわち、図５に示したように、白丸５０１で示される検出されたスクロール速度識別子は、黒丸５０３で示される表示時のスクロール速度識別子に、矢印５０２で示されるようにそれぞれ変換される。そして、この表示時スクロール速度識別を用いて、以下で述べるようにして、字幕ＯＳＤ映像信号１２８を生成する。なお、検出されたスクロール速度識別子が、０から６までは、ディスプレイ部１０４において、一定値以上の残像が発生する可能性がない。したがって、検出されたスクロール速度識別子が、そのまま表示時のスクロール速度識別子とされる。【００５０】
すなわち、字幕スクロール変換部１０６は、字幕データメモリ部１０５に記憶された字幕データ１２４のスクロール速度識別子の値が、ルックアップテーブル変換部１０９の出力するスクロール速度変換識別子の値を超える場合、スクロール速度識別子の値をルックアップテーブル変換部１０９の出力するスクロール速度変換識別子の値に変換するように制御する。【００５１】
字幕ＯＳＤ生成部１０７は、この変換された後のスクロール速度識別子に基づいて、字幕ＯＳＤ映像信号１２８を生成する。そして、字幕ＯＳＤ生成部１０７は、その字幕ＯＳＤ映像信号１２８を字幕ＯＳＤ合成部１０３に出力する。【００５２】
次に、字幕ＯＳＤ合成部１０３は、入力映像信号１２２と字幕ＯＳＤ生成部１０７より出力される字幕ＯＳＤ映像信号１２８を合成する。そして、字幕ＯＳＤ合成部１０３は、ディスプレイ部１０４に、その合成した表示映像信号１３０を出力する。【００５３】
上記したように、本実施の形態に係るデジタルテレビ信号処理装置２１おける字幕スクロール変換部１０６は、ディスプレイ部１０４の動画解像度に応じて字幕のスクロール速度を制御する。すなわち、デジタルテレビ信号処理装置２１は、ディスプレイ部１０４の動画解像度を予め記憶し、その動画解像度に応じて字幕のスクロール速度を一定値以下に制限するように制御する。このようにしてディスプレイ部１０４において、残像がなくなる、もしくは一定値以下に残像を抑制することができる。【００５４】
なお、動画解像度メモリ部１０８には、ディスプレイ部１０４の動画解像度の他に、コントラスト比、１９２０×１０８０ピクセル、あるいは１０２８×７６８ピクセルなどのディスプレイ部１０４の有効画素数を保存することで、コントラスト比、ディスプレイ部１０４の有効画素数毎に、スクロール速度を変換してもよい。すなわち、ディスプレイ部１０４のコントラスト比が低い場合、字幕は判別しにくいので、スクロール速度を遅くすることが望ましい。また、ディスプレイ部１０４の有効画素数が小さい場合、字幕は判別しにくいので、スクロール速度を遅くすることが望ましい。したがって、上記したようにしても、ユーザの視聴により適した字幕の表示ができる。【００５５】
また、本実施の形態では、スクロール速度変換識別子の値が、所定値として「６」の場合を想定して説明した。しかしながら、この所定値「６」は、これに限るものではなく、「０」から「９」までの任意の値を設定してもよい。また、ユーザの設定により、所定値を上記した任意の値に設定変更できるようにしてもよい。【００５６】
スクロール速度変換識別子の所定値の設定変更には、例えば、リモコン１１０などの操作を用いてもよい。なお、本実施の形態に係るデジタルテレビ信号処理装置２１では、リモコン１１０の操作を受け付けるリモコン入力部は、図１では省略しているが、字幕スクロール変換部１０６に配置してもよい。また、ユーザがリモコン入力部に備えられたボタンやつまみ（図１には図示せず）などを直接操作して、字幕スクロール変換部１０６におけるスクロール速度変換識別子の所定値を変更できるようにしてもよい。これにより、ユーザに最も適した字幕のスクロール速度を、ユーザが自ら設定することができる。【００５７】
（実施の形態２）
図６は、本発明の実施の形態２に係るデジタルテレビ信号処理装置２３の構成図である。本発明の実施の形態１に係るデジタルテレビ信号処理装置２１おいては、ディスプレイ部１０４の動画解像度を記憶し、その動画解像度に応じて字幕のスクロール速度を一定値以下に制限した。本発明の実施の形態２に係るデジタルテレビ信号処理装置２３は、さらに、スクロール速度変換後の字幕データ１２６に対して、字幕の文字間隔をより小さく変換することが、実施の形態１と異なる。【００５８】
具体的には、図６に示すように、本実施の形態に係るデジタルテレビ信号処理装置２３は、図１に示した実施の形態１に係るデジタルテレビ信号処理装置２１の構成において、字幕ＯＳＤ合成部１０３が、字幕と入力映像信号１２２に含まれる別コンテンツとの重なりの有無を検出する字幕重なり検出部７０３をさらに備えている。また、字幕ＯＳＤ生成部１０７が文字間隔変換部７０１をさらに備えている。【００５９】
字幕ＯＳＤ合成部１０３は、入力映像信号１２２と字幕ＯＳＤ生成部１０７から出力される字幕ＯＳＤ映像信号１２８とを入力して、表示映像信号１３０を合成し、ディスプレイ部１０４に出力する。そして、字幕重なり検出部７０３は、字幕と入力映像信号１２２に含まれる別コンテンツとの重なりの有無を検出する。その結果、重なりを検出した場合、字幕と入力映像信号１２２に含まれる別コンテンツとの重なりが検出されたことを示す字幕重なり検出信号１３２を字幕ＯＳＤ生成部１０７に出力する。ここで、別コンテンツとは、対象とする字幕が重畳されたコンテンツに続く、別のコンテンツを示すものであって、例えば、対象とする字幕と関係しないコマーシャルメッセージ（以下、「ＣＭ」と略記する）である。または、例えば、対象とする字幕の重畳されたシーンに続く、対象とする字幕と関係しない別のシーンのコンテンツである。【００６０】
字幕ＯＳＤ生成部１０７が、字幕重なり検出信号１３２を入力した場合、まず、字幕ＯＳＤ生成部１０７における文字間隔変換部７０１は、字幕データ１２６に対して、字幕の文字間隔をより小さくして変換する。なお、実施の形態１と同等な構成、及び動作についての詳細な説明は省略する。【００６１】
ここで、字幕の文字間隔について説明する。字幕データ１２４は、字幕の文字間隔を指定するパラメータを含んでいる。図７は、字幕の文字間隔パラメータを含む拡張制御信号のデータ構成の１例を示す構成図である。すなわち、図７は、字幕の文字間隔の指定を行う文字間隔パラメータの規定の１例を示している。字幕の文字間隔を指定する符号シーケンスは、例えば、「ＣＳＩ  Ｐ１ｉ（ｉ＝０、・・・、９）  Ｉ１  Ｆ」と指定される。ここで、パラメータＣＳＩには、文字間隔の指定であることを示す値が割り当てられる。パラメータＰ１ｉ（ｉ＝０、・・・、９）は、字幕の文字間隔を指定する。ここで、ｉの値が、大きいほど文字間隔は大きくなるように規定されている。なお、パラメータＩ１は、字幕の符号シーケンスにおける中間文字であり、パラメータＦは符号シーケンスの区切りを表す終端文字である。【００６２】
次に、本実施の形態に係るデジタルテレビ信号処理装置２３おける文字間隔変換部７０１を含む字幕ＯＳＤ生成部１０７の動作について説明する。図８は、本発明の実施の形態２に係るデジタルテレビ信号処理装置２３の動作の１例を示したフローチャートである。図８のフローチャートは、図４で説明した実施の形態１に係るデジタルテレビ信号処理装置２１の動作の１例を示したフローチャートのステップＳ４０１からステップＳ４０４に、後述するステップＳ８０５、ステップＳ８０６及びステップＳ８０７の処理を加えたものである。したがって、ステップＳ４０１からステップＳ４０４までの動作は、実施の形態１と同等であるため、説明を省略する。【００６３】
図８に示すように、ステップＳ４０４において、字幕スクロール変換部１０６は、字幕データメモリ部１０５に記憶されたスクロール速度識別子の値を、ルックアップテーブル変換部１０９から入力したスクロール速度変換識別子の値に変換する。この場合、字幕のスクロール速度は、より遅く変換される。したがって、字幕のスクロール速度は、ディスプレイ部１０４の動画解像度に応じて、より遅く変換される場合もある。【００６４】
その後、字幕重なり検出部７０３は、字幕と入力映像信号１２２に含まれる別コンテンツとの重なりが生じているかを検出する（ステップＳ８０５）。その結果、重なりを検出した場合（Ｙｅｓ）、字幕と入力映像信号１２２に含まれる別コンテンツとの重なりが検出されたことを示す字幕重なり検出信号１３２を字幕ＯＳＤ生成部１０７に出力する。【００６５】
字幕ＯＳＤ生成部１０７が、字幕重なり検出信号１３２を入力した場合、文字間隔変換部７０１は、字幕データ１２６に対して、字幕の文字間隔をより小さくして変換する（ステップＳ８０６）。次に、文字間隔が最小であるかを判定する（ステップＳ８０７）。そして、文字間隔が最小でなければ（Ｎｏ）、ステップＳ８０５に戻る。なお、文字間隔が最小であれば、処理を終了する。また、ステップＳ８０５において、字幕と入力映像信号１２２に含まれる別コンテンツとの重なりを検出しなかった場合（Ｎｏ）も、処理を終了する。【００６６】
このようにして、本実施の形態に係るデジタルテレビ信号処理装置２３における字幕ＯＳＤ生成部１０７は、字幕のスクロール速度変換後に、字幕重なり検出部７０３が、字幕と入力映像信号１２２に含まれる別コンテンツとの重なりが生じたことを検出した場合、文字間隔識別子の値をより小さく変換する処理を行う。そして、字幕重なり検出部７０３が、字幕と入力映像信号１２２に含まれる別コンテンツとの重なりが生じたことを検出しなくなるまで、デジタルテレビ信号処理装置２３は、この一連の動作を繰り返す。【００６７】
上記したように、実施の形態１において説明したのと同様に、実施の形態２においてもスクロール速度を遅く変換した場合、字幕の表示時間が長くなる。しかし、本実施の形態によれば、スクロール速度変換後の字幕データ１２６に対して、さらに字幕の文字間隔を小さく変換することができる。したがって、字幕のスクロール時間をより短くできる。【００６８】
例えば、スクロール速度を遅く変換することにより、字幕のスクロール時間を２倍に長くできるようにしている場合、文字間隔を小さく変換することにより、字幕のスクロール時間を半分以下にできるようにすればよい。その結果、字幕が、ＣＭ等の別コンテンツに重畳しなくなるまで、字幕のスクロール時間を短縮することができる。【００６９】
すなわち、本実施の形態に係るデジタルテレビ信号処理装置２３は、スクロール速度変換後の字幕のスクロール時間が長くなったことが原因で、字幕と入力映像信号１２２に含まれる別コンテンツとの重なりを検出した場合、字幕が別コンテンツに重畳しなくなるまで、字幕のスクロール時間が短くなるように文字間隔をより小さく変換する。したがって、必ずしも、文字間隔を最小にするまで小さくする必要はない。すなわち、字幕の可読性をできるだけ損なわないため、字幕が別コンテンツに重畳しなくなるために必要なだけ、字幕の文字間隔を小さくするように字幕ＯＳＤ生成部１０７は動作する。したがって、字幕のスクロール速度が遅くなることで、ディスプレイ部１０４において、残像がなくなる、もしくは一定値以下に残像を抑制することができる。しかも、字幕が別コンテンツに重畳しなくなるようにして、字幕を表示できる。【００７０】
なお、本実施の形態では、字幕のスクロール時間を短くするために、字幕の文字間隔をより小さく変換することについて述べた。しかし、字幕の行数を１行から２行以上に変換する、あるいは字幕のフォントの大きさをより小さく変更するなどの処理を行ってもよい。【００７１】
図９は、本発明の実施の形態２に係る他の例におけるデジタルテレビ信号処理装置２５の構成図である。この例におけるデジタルテレビ信号処理装置２５は、図６で示した本実施の形態のデジタルテレビ信号処理装置２３の構成における文字間隔変換部７０１に換えて、図９に示すように、字幕の行数を１行から２行以上に変換するために字幕行数変換部７０５を備えている。すなわち、字幕行数変換部７０５は、字幕を１行から、２行以上に亘って表示するように、字幕データ１２６を変換する機能を有する。【００７２】
次に、字幕行数変換部７０５の具体的な動作について以下に述べる。図１０は、本発明の実施の形態２に係る他の例におけるデジタルテレビ信号処理装置２５の動作の１例を示したフローチャートである。ステップＳ８０５までは、本実施の形態に係るデジタルテレビ信号処理装置２３と同様な動作であるため説明を省略する。【００７３】
ステップＳ８０５において、字幕ＯＳＤ生成部１０７が、字幕重なり検出信号１３２を入力した場合（Ｙｅｓ）、字幕行数変換部７０５は、字幕データ１２６に対して、字幕を１行から、２行に亘って表示するように変換する。すなわち、字幕の行数を１行増加させる（ステップＳ８１６）。そして、字幕の行数は所定値であって最大であるかどうかを判断する。もし、さらに字幕の行数を増やしてもよい場合、すなわち、字幕の行数が所定値より小さい場合（Ｎｏ）には、ステップＳ８０５に戻る。そうでなければ（Ｙｅｓ）、処理を終了する。【００７４】
このようにして、本実施の形態に係る他の例のデジタルテレビ信号処理装置２５における字幕ＯＳＤ生成部１０７は、字幕のスクロール速度変換後に、字幕重なり検出部７０３が、字幕と入力映像信号１２２に含まれる別コンテンツとの重なりが生じたことを検出した場合、字幕の行数を１行増加させる処理を行う。すなわち、字幕行数変換部７０５は、字幕の行数を２行以上に亘って表示するように変換する。そして、字幕重なり検出部７０３が、字幕と入力映像信号１２２に含まれる別コンテンツとの重なりが生じたことを検出しなくなるまで、デジタルテレビ信号処理装置２３は、この一連の動作を繰り返す。【００７５】
例えば、スクロール速度を遅く変換することにより、字幕のスクロール時間が２倍以下まで長くなった場合、字幕を１行から、２行に亘って表示するように、字幕データ１２６を変換すればよい。このように、スクロール速度変換後の字幕のスクロール時間が長くなった時間に応じて、同等の時間以上に、字幕のスクロール時間が短くなるように字幕を表示する行数を増やして変換する。なお、字幕の行数を増加させたときの所定値としての行数の最大値は、ディスプレイ部１０４の有効画素数に依存するが、例えば４行とすればよい。なぜなら、スクロール速度変換後の字幕のスクロール時間を長くする場合、４倍以上長くするようなことは想定しにくいからである。このようにすることで、字幕がＣＭ等の別コンテンツに重畳しなくなるまで、字幕のスクロール時間を短縮することができる。したがって、字幕のスクロール速度が遅くなることで、ディスプレイ部１０４において、残像がなくなる、もしくは一定値以下に残像を抑制することができる。しかも、字幕が別コンテンツに重畳しなくなるようにして、字幕を表示できる。【００７６】
図１１は、本発明の実施の形態２に係るさらに他の例におけるデジタルテレビ信号処理装置２７の構成図である。この例におけるデジタルテレビ信号処理装置２７は、図６で示した本実施の形態におけるデジタルテレビ信号処理装置２３の構成の文字間隔変換部７０１に換えて、字幕のフォントの大きさをより小さく変更するに字幕フォント変更部７０７を備えている。すなわち、字幕フォント変更部７０７は、字幕のフォントのサイズをより小さくするように変更する機能を有する。【００７７】
次に、字幕フォント変更部７０７の具体的な動作について以下に述べる。図１２は、本発明の実施の形態２に係るさらに他の例におけるデジタルテレビ信号処理装置２７の動作の１例を示したフローチャートである。ステップＳ８０５までは、本実施の形態に係るデジタルテレビ信号処理装置２３と同様な動作であるため説明を省略する。ステップＳ８０５において、字幕ＯＳＤ生成部１０７が、字幕重なり検出信号１３２を入力した場合（Ｙｅｓ）、字幕フォント変更部７０７は、その字幕データ１２６に対して、字幕のフォントのサイズを、より小さくするように変更する（ステップＳ８２６）。より小さくするフォントのサイズは、字幕ＯＳＤ生成部１０７が備えるフォントのサイズの数による。例えば、字幕ＯＳＤ生成部１０７が備えるフォントに対して１段階ずつ小さくするようにしてもよい。【００７８】
次に、字幕のフォントのサイズは、所定の最小サイズであるかを判断する（ステップＳ８２７）。もし、字幕のフォントのサイズをさらに小さくしてもよい場合、すなわち、字幕のフォントのサイズが所定の最小サイズより大きい場合（Ｎｏ）、ステップＳ８０５に戻る。そうでなければ（Ｙｅｓ）、処理を終了する。【００７９】
このようにして、本実施の形態に係るさらに他の例のデジタルテレビ信号処理装置２５における字幕ＯＳＤ生成部１０７は、字幕のスクロール速度変換後に、字幕重なり検出部７０３が、字幕と入力映像信号１２２に含まれる別コンテンツとの重なりが生じたことを検出した場合、字幕ＯＳＤ生成部１０７は、字幕のフォントのサイズを、より小さくするように変更する。そして、字幕重なり検出部７０３が、字幕と入力映像信号１２２に含まれる別コンテンツとの重なりが生じたことを検出しなくなるまで、デジタルテレビ信号処理装置２３は、この一連の動作を繰り返す。なお、字幕のフォントの所定の最小サイズは、ディスプレイ部１０４の有効画素数に依存するが、例えば、１６×１６ドットとすればよい。このようにすることで、字幕がＣＭ等の別コンテンツに重畳しなくなるまで、字幕のスクロール時間を短縮することができる。したがって、字幕のスクロール速度が遅くなることで、ディスプレイ部１０４において、残像がなくなる、もしくは一定値以下に残像を抑制することができる。しかも、字幕が別コンテンツに重畳しなくなるようにして、字幕を表示できる。【００８０】
（実施の形態３）
図１３は、本発明の実施の形態３に係るデジタルテレビ信号処理装置２９の構成図である。本発明の実施の形態１に係るデジタルテレビ信号処理装置２１おいては、ディスプレイ部１０４の動画解像度を記憶し、その動画解像度に応じて字幕のスクロール速度を一定値以下に制限した。本発明の実施の形態３に係るデジタルテレビ信号処理装置２９は、字幕のスクロール速度の変更可否を、許可フラグを用いて処理することが、実施の形態１と異なる。【００８１】
具体的には、図１３に示すように、本実施の形態に係るデジタルテレビ信号処理装置２９は、図１に示した実施の形態１に係るデジタルテレビ信号処理装置２１の構成において、字幕スクロール変換部１０６が、字幕のスクロール速度の変更可否を判定する変更許可フラグ判定部９０１をさらに備えていることが異なる。【００８２】
字幕スクロール変換部１０６は、入力した字幕データ１２５に含まれるスクロール速度の変更許可フラグを参照する。そして、この変更許可フラグが、変更許可であるかを判定し、その判定の結果に基づいて、スクロール速度識別子の変更処理を行うかどうかを決定する。なお、前述した実施の形態１で示した図１の構成と同じ構成については、同じ符号を用い説明を省略する。【００８３】
図１４は、本発明の実施の形態３に係るデジタルテレビ信号処理装置２９の動作の１例を示したフローチャートである。図１４のフローチャートは、図４で説明した実施の形態１に係るデジタルテレビ信号処理装置２１の動作の１例を示したフローチャートのステップＳ４０１からステップＳ４０４に、後述するステップＳ９００の処理を加えたものである。【００８４】
図１４において、字幕スクロール変換部１０６は、入力した字幕データ１２５に含まれる字幕のスクロール速度の変更許可フラグを参照する。この変更許可フラグが、変更許可であるかを判定する（ステップＳ９００）。変更許可の場合（Ｙｅｓ）、ステップＳ４０１に進む。以下は、実施の形態1で述べた動作のフローと同等に字幕のスクロール速度変換の処理を行う。したがって、説明を省略する。また、ステップＳ９００において、変更許可でない場合（Ｎｏ）、処理を終了する。【００８５】
なお、本実施の形態においては、字幕のスクロール速度の変更許可フラグは、字幕データ１２５に拡張識別子が含まれている必要がある。【００８６】
上記したように、本実施の形態に係るデジタルテレビ信号処理装置２９においては、字幕スクロール変換部１０６は、字幕データ１２５に含まれるスクロール速度の変更許可フラグを参照する。そして、字幕のスクロール速度の変更可否を判定する変更許可フラグ判定部９０１をさらに備えている。字幕スクロール変換部１０６は、変更許可フラグ判定部９０１の変更可否の判定に応じて、字幕のスクロール速度の変更許可フラグが、変更可の場合、スクロール速度識別子の変換処理を行う。また、スクロール速度の変更許可フラグが、変更不可の場合、スクロール速度識別子の変換処理を停止する。【００８７】
このような構成により、字幕のスクロール速度変更の可否を、許可フラグを用いて処理するデジタルテレビ信号処理装置２９を提供することで、コンテンツ作成者が字幕のスクロール速度変更の可否を選択でき、コンテンツ作成者の意図するスクロール速度にて、字幕の表示ができる。
【産業上の利用可能性】
【００８８】
本発明に係るデジタルテレビ信号処理装置は、字幕スクロールする際の残像をなくす、もしくは一定値以下に残像を抑制することが可能となるため、ＬＣＤなどの動画解像度の低い表示装置等に適用すると極めて有用である。
【図１】
2009128197.tif 000003
【図２】
2009128197.tif 000004
【図３】
2009128197.tif 000005
【図４】
2009128197.tif 000006
【図５】
2009128197.tif 000007
【図６】
2009128197.tif 000008
【図７】
2009128197.tif 000009
【図８】
2009128197.tif 000010
【図９】
2009128197.tif 000011
【図１０】
2009128197.tif 000012
【図１１】
2009128197.tif 000013
【図１２】
2009128197.tif 000014
【図１３】
2009128197.tif 000015
【図１４】
2009128197.tif 000016
【図１５】
2009128197.tif 000017
【国際調査報告】
2009128197.tif 000018
2009128197.tif 000019